(57)【要約】      （修正有）【課題】太陽エネルギーの収集効率を高めることができる太陽エネルギー収集装置を提供する。【解決手段】本エネルギー収集装置は、太陽エネルギー収集機構２、反射機構３および伝動機構４からなる。太陽エネルギー収集機構２は、直立した位置決めフレーム２０および位置決めフレーム２０の一側面に配置される太陽エネルギー収集板２１からなる。反射機構３は、直立した支持フレーム３０および支持フレーム３０に組み立てられる反射板３１からなる。伝動機構４は、太陽エネルギー収集機構２または反射機構３に接続され、太陽エネルギー収集機構２または反射機構３を駆動する。立体で動的なエネルギー収集方式によって、制限された空間内において、最大限に太陽エネルギーを収集し、エネルギー収集効率を高める。【選択図】図２
0003150472.tif 000002
【実用新案登録請求の範囲】
【請求項１】
太陽エネルギー収集機構、反射機構および伝動機構からなり、
前記太陽エネルギー収集機構は、直立した位置決めフレームおよび前記位置決めフレームの一側面に配置される太陽エネルギー収集板からなり、
前記反射機構は、直立した支持フレームおよび支持フレーム一端に組み立てられる反射板からなり、前記反射板は、前記支持フレームによって、前記太陽エネルギー収集板の近くに配置され、前記反射板は、所定の角度で前記太陽エネルギー収集板に対面し、前記反射板に照射された太陽光線を前記太陽エネルギー収集板に直接反射させ、
前記伝動機構は、前記太陽エネルギー収集機構の位置決めフレームに接続され、前記太陽エネルギー収集機構を駆動し、駆動された前記太陽エネルギー収集機構は、日照角度にあわせて位置が調整されることを特徴とするエネルギー収集装置。
【請求項２】
前記太陽エネルギー収集機構の直立した位置決めフレームは、囲設されて中空のリング形状を形成することを特徴とする請求項１記載のエネルギー収集装置。
【請求項３】
前記反射機構は、前記位置決めが囲設されて形成される中空のリング形状内に配置されることを特徴とする請求項２記載のエネルギー収集装置。
【請求項４】
前記太陽エネルギー収集機構の直立した位置決めフレーム底部には、回転板が接続され、前記回転板には、伝動機構が接続されて駆動されることを特徴とする請求項１、２または３のいずれか記載のエネルギー収集装置。
【請求項５】
太陽エネルギー収集機構、反射機構および伝動機構からなり、
前記太陽エネルギー収集機構は、直立した位置決めフレームおよび前記位置決めフレームの一側面に配置される太陽エネルギー収集板からなり、
前記反射機構は、直立した支持フレームおよび支持フレーム一端に組み立てられる反射板からなり、前記反射板は、前記支持フレームによって、前記太陽エネルギー収集板の近くに配置され、前記反射板は、所定の角度で前記太陽エネルギー収集板に対面し、前記反射板に照射された太陽光線を前記太陽エネルギー収集板に直接反射させ、
前記伝動機構は、前記反射機構に接続され、前記反射機構を駆動し、駆動された前記反射板は、日照角度にあわせて位置が調整されることを特徴とするエネルギー収集装置。
【請求項６】
前記太陽エネルギー収集機構の直立した位置決めフレームは、囲設されて中空のリング形状を形成することを特徴とする請求項５記載のエネルギー収集装置。
【請求項７】
前記反射機構は、前記位置決めが囲設されて形成される中空のリング形状内に配置されることを特徴とする請求項６記載のエネルギー収集装置。
【請求項８】
前記太陽エネルギー収集機構は、直立した軸台が前記位置決めフレームに接続され、地面に直立することを特徴とする請求項５、６または７のいずれか記載のエネルギー収集装置。
【請求項９】
前記反射機構の直立した支持フレームの他端には、回転板が接続され、前記回転板は、前記太陽エネルギー収集機構の外周を取り囲むように配置され、前記伝動機構は、前記回転板に接続され、前記反射機構を前記太陽エネルギー収集機構の外周において駆動し、駆動された前記反射機構は、日照角度にあわせて位置が調整されることを特徴とする請求項５または６記載のエネルギー収集装置。
【考案の詳細な説明】
【技術分野】
【０００１】
本考案は、エネルギー収集装置に関し、特に、太陽エネルギーを収集し、他のエネルギーに変換して産業に利用し、省エネを達成するエネルギー収集装置に関する。
【背景技術】
【０００２】
石油価格が高騰し、代替エネルギーの早急な開発が求められている。太陽エネルギー、風力エネルギーなどの自然エネルギーの利用は、人類の生活を促進するだけでなく、大量の二酸化炭素などの温室効果ガスが排出されないため、必要性が非常に高い。
【０００３】
図１を参照する。図１に示すように、従来の太陽エネルギー収集装置は、所定の空間に太陽エネルギー収集装置１０が配列され、太陽エネルギーを吸収し、他のエネルギーに変換して使用される。しかし、太陽エネルギー収集装置１０は、固定されて動かないため、日照角度によって、エネルギー収集効果が低減する。また、太陽エネルギー収集装置１０を配置する空間に制限がある場合、大量に配置することができず、改善の必要があった。
【先行技術文献】
【特許文献】
【０００４】
【特許文献１】登録実用新案第３１４７９６１号公報
【考案の概要】
【考案が解決しようとする課題】
【０００５】
本考案の目的は、太陽エネルギーの収集効率を高めることができるエネルギー収集装置を提供することにある。
【課題を解決するための手段】
【０００６】
上述の課題を解決するために、本考案のエネルギー収集装置は、太陽エネルギー収集機構、反射機構および伝動機構からなる。太陽エネルギー収集機構は、直立した位置決めフレームおよび位置決めフレームの一側面に配置される太陽エネルギー収集板からなる。反射機構は、直立した支持フレームおよび支持フレームに組み立てられる反射板からなる。伝動機構は、太陽エネルギー収集機構または反射機構に接続され、太陽エネルギー収集機構または反射機構を駆動する。立体で動的なエネルギー収集方式によって、制限された空間内において、最大限に太陽エネルギーを収集し、エネルギー収集効率を高めることができる。
本考案は、下記の特徴を有する。
（１）太陽エネルギー収集機構、反射機構および伝動機構からなり、
前記太陽エネルギー収集機構は、直立した位置決めフレームおよび前記位置決めフレームの一側面に配置される太陽エネルギー収集板からなり、
前記反射機構は、直立した支持フレームおよび支持フレーム一端に組み立てられる反射板からなり、前記反射板は、前記支持フレームによって、前記太陽エネルギー収集板の近くに配置され、前記反射板は、所定の角度で前記太陽エネルギー収集板に対面し、前記反射板に照射された太陽光線を前記太陽エネルギー収集板に直接反射させ、
前記伝動機構は、前記太陽エネルギー収集機構の位置決めフレームに接続され、前記太陽エネルギー収集機構を駆動し、駆動された前記太陽エネルギー収集機構は、日照角度にあわせて位置が調整されることを特徴とするエネルギー収集装置。
（２）前記太陽エネルギー収集機構の直立した位置決めフレームは、囲設されて中空のリング形状を形成することを特徴とする（１）記載のエネルギー収集装置。
（３）  前記反射機構は、前記位置決めが囲設されて形成される中空のリング形状内に配置されることを特徴とする（２）記載のエネルギー収集装置。
（４）  前記太陽エネルギー収集機構の直立した位置決めフレーム底部には、回転板が接続され、前記回転板には、伝動機構が接続されて駆動されることを特徴とする（１）、（２）または（３）のいずれか記載のエネルギー収集装置。
（５）太陽エネルギー収集機構、反射機構および伝動機構からなり、
前記太陽エネルギー収集機構は、直立した位置決めフレームおよび前記位置決めフレームの一側面に配置される太陽エネルギー収集板からなり、
前記反射機構は、直立した支持フレームおよび支持フレーム一端に組み立てられる反射板からなり、前記反射板は、前記支持フレームによって、前記太陽エネルギー収集板の近くに配置され、前記反射板は、所定の角度で前記太陽エネルギー収集板に対面し、前記反射板に照射された太陽光線を前記太陽エネルギー収集板に直接反射させ、
前記伝動機構は、前記反射機構に接続され、前記反射機構を駆動し、駆動された前記反射板は、日照角度にあわせて位置が調整されることを特徴とするエネルギー収集装置。
（６）前記太陽エネルギー収集機構の直立した位置決めフレームは、囲設されて中空のリング形状を形成することを特徴とする（５）記載のエネルギー収集装置。
（７）前記反射機構は、前記位置決めが囲設されて形成される中空のリング形状内に配置されることを特徴とする（６）記載のエネルギー収集装置。
（８）前記太陽エネルギー収集機構は、直立した軸台が前記位置決めフレームに接続され、地面に直立することを特徴とする（５）、（６）または（７）のいずれか記載のエネルギー収集装置。
（９）前記反射機構の直立した支持フレームの他端には、回転板が接続され、前記回転板は、前記太陽エネルギー収集機構の外周を取り囲むように配置され、前記伝動機構は、前記回転板に接続され、前記反射機構を前記太陽エネルギー収集機構の外周において駆動し、駆動された前記反射機構は、日照角度にあわせて位置が調整されることを特徴とする（５）または（６）記載のエネルギー収集装置。
【考案の効果】
【０００７】
日照角度にあわせて、太陽エネルギー収集機構または反射機構に接続された伝動機構が、太陽エネルギー収集機構または反射機構を駆動することによって、太陽エネルギー収集板は、太陽光が直接照射されるだけでなく、反射板から反射される太陽光も吸収するため、さらに多くのエネルギーを吸収することができる。また、立体で動的なエネルギー収集方式によって、制限された空間内において、最大限に太陽エネルギーを収集し、エネルギー収集効率を高めることができる。
【図面の簡単な説明】
【０００８】
【図１】従来の太陽エネルギー収集装置を示す斜視図である。
【図２】本考案の第１実施形態によるエネルギー収集装置を示す斜視図である。
【図３】図２に示すエネルギー収集装置の作動状態を示す模式図である。
【図４】本考案の第２実施形態によるエネルギー収集装置を示す斜視図である。
【図５】本考案の第３実施形態によるエネルギー収集装置を示す斜視図である。
【図６】図５に示すエネルギー収集装置の作動状態を示す模式図である。
【図７】本考案の第４実施形態によるエネルギー収集装置を示す斜視図である。
【考案を実施するための形態】
【０００９】
本考案の目的、特徴および効果を示す実施形態を図面に沿って詳細に説明する。
【００１０】
（第１実施形態）
図２および図３を参照する。図２および図３に示すように、第１実施形態によるエネルギー収集装置は、太陽エネルギー収集機構２、反射機構３および伝動機構４からなる。
【００１１】
太陽エネルギー収集機構２は、直立した位置決めフレーム２０および位置決めフレーム２０の一側面に配置される太陽エネルギー収集板２１からなる。太陽エネルギー収集板２１を直立した構造にすることによって、空間を十分に利用することができる。即ち、第１実施形態による太陽エネルギー収集機構２は、従来の地上に配列させる方式の太陽エネルギー収集装置より、制限ある空間内において、太陽エネルギーを吸収する面積を増加させ、太陽エネルギーの収集量を最大にすることができる。
【００１２】
反射機構３は、直立した支持フレーム３０および支持フレーム３０一端に組み立てられる反射板３１からなる。反射板３１は、支持フレーム３０によって、太陽エネルギー収集板２１の近くに配置される。反射板３１は、所定の角度で太陽エネルギー収集板２１に対面し、反射板３１に照射された太陽光線ａを太陽エネルギー収集板２１に直接反射させる。図３に示す光線の反射状態から分かるように、太陽エネルギー収集板２１は、太陽光が直接照射されるだけでなく、反射板３１から反射される太陽光も吸収するため、さらに多くのエネルギーを吸収する。
【００１３】
図２を参照する。図２に示すように、伝動機構４は、太陽エネルギー収集機構２の位置決めフレーム２０に接続される。伝動機構４は、太陽エネルギー収集機構２を駆動し、駆動された太陽エネルギー収集機構２は、日照角度にあわせて位置が調整され、太陽エネルギー収集板２１の太陽エネルギー吸収効率を平均化し、高める。
【００１４】
（第２実施形態）
図４を参照する。図４に示すように、第２実施形態による太陽エネルギー収集機構２は、直立した位置決めフレーム２０が囲設されて中空のリング形状が形成され、底部に回転板２２が接続される。回転板２２には、伝動機構４が接続され、伝動機構４によって位置決めフレーム２０は駆動される。反射機構３は、位置決めフレーム２０からなるリング形状内部に配置される。第１実施形態と同様に、太陽エネルギー収集機構２が駆動され、日照角度にあわせて位置が調整される。
【００１５】
第１実施形態および第２実施形態においては、太陽エネルギー収集機構２が駆動され、日照角度にあわせて位置が調整される。しかし、他の実施形態においては、太陽エネルギー収集機構２は、固定されて動かず、反射機構３が駆動され、第１実施形態および第２実施形態と同様の効果を達成する。
【００１６】
（第３実施形態）
図５および図６を参照する。図５および図６に示すように、第３実施形態によるエネルギー収集装置は、太陽エネルギー収集機構２’、反射機構３’および伝動機構４’からなる。
【００１７】
太陽エネルギー収集機構２’は、直立した位置決めフレーム２０’および位置決めフレーム２０’の一側面に配置される太陽エネルギー収集板２１’からなる。直立した軸台２２’と位置決めフレーム２０’とが接続され、太陽エネルギー収集機構２’が地面から直立することが好ましい。
【００１８】
反射機構３’は、直立した支持フレーム３０’および支持フレーム３０’一端に組み立てられる反射板３１’からなる。反射機構３’は、支持フレーム３０’によって、太陽エネルギー収集板２１’の近くに配置される。反射板３１’は、所定の角度で太陽エネルギー収集板２１’に対面し、反射板３１’に照射された太陽光線ｂを太陽エネルギー収集板２１’に直接反射させる。また、直立した支持フレーム３０’の他端は、回転板３２’に接続される。回転板３２’は、太陽エネルギー収集機構２’の外周を取り囲むように配置される。
【００１９】
伝動機構４’は、反射機構３’の回転板３２’に接続され、反射機構３’を太陽エネルギー収集機構２’の外周において駆動し、日照角度にあわせて位置を調整し、太陽エネルギー収集板２１’の太陽エネルギー吸収効率を平均化し、高める。
【００２０】
（第４実施形態）
図７を参照する。図７に示すように、第４実施形態による太陽エネルギー収集機構２’は、直立した位置決めフレーム２０’が囲設されて中空のリング形状が形成され、底部に直立した軸台２２’が接続される。太陽エネルギー収集機構２’は、地面上に直立し、動かない。反射機構３’は、位置決めフレーム２０’からなるリング形状内部に配置される。反射機構３’の直立した支持フレーム３０’は、伝動機構４’に接続され、反射板３１’は駆動される。第３実施形態と同様に、反射機構３’が駆動され、日照角度にあわせて位置が調整される。
【００２１】
以上の詳細な説明は、本考案の好適な一実施形態を示し、実施範囲は制限されない。当業者による本考案の主旨を逸脱しない範囲の同等効果である修飾または変更は、すべて本考案の実用新案登録請求の範囲に含まれる。
【符号の説明】
【００２２】
２  太陽エネルギー収集機構
２’  太陽エネルギー収集機構
２０  位置決めフレーム
２０’  位置決めフレーム
２１  太陽エネルギー収集板
２１’  太陽エネルギー収集板
２２  回転板
２２’  軸台
３  反射機構
３’  反射機構
３０  支持フレーム
３０’  支持フレーム
３１  反射板
３１’  反射板
３２’  回転板
４  伝動機構
４’  伝動機構
ａ  太陽光線
ｂ  太陽光線
【図１】
0003150472.tif 000003
【図２】
0003150472.tif 000004
【図３】
0003150472.tif 000005
【図４】
0003150472.tif 000006
【図５】
0003150472.tif 000007
【図６】
0003150472.tif 000008
【図７】
0003150472.tif 000009